(57)【要約】【課題】ステップモーターと、ステップモーターを磁気的にシールドする耐磁板と、アンテナとを備えるアンテナ内蔵式電子時計において、アンテナの良好な受信性能を確保する。【解決手段】電子時計１００は、外装ケース８０と、外装ケース８０に収納された環状のアンテナ体４０と、アンテナ体４０の内側に設けられ文字板１１と指針軸１２を中心に回転可能な指針１３とを具備する時刻表示部と、外装ケース８０に収納された基板２５と、基板２５及び文字板１１の間に設けられ時刻表示部を駆動する駆動機構３０と、アンテナ体４０に設けられた給電部４０４と基板２５とを電気的に接続する給電ピン４４と、駆動機構３０及び文字板１１の間または駆動機構３０及び基板２５の間のうち少なくとも一方に設けられた耐磁板Ｓ１〜Ｓ３とを備え、文字板１１に垂直な方向から見たときに、給電ピン４４と耐磁板Ｓ１〜Ｓ３とは重ならないことを特徴とする。【選択図】図７
2014062847.tif 000002
【特許請求の範囲】
【請求項１】
外装ケースと、
前記外装ケースに収納された環状の形状のアンテナ体と、
前記アンテナ体の内側に設けられ、文字板と、指針軸を中心に回転可能な指針と、を具備する時刻表示部と、
前記外装ケースに収納された基板と、
前記文字板に平行な方向から見たときに前記基板及び前記文字板の間に設けられ、前記時刻表示部を駆動する駆動部と、
前記アンテナ体に設けられた給電部と前記基板とを電気的に接続する給電ピンと、
前記駆動部及び前記文字板の間、または、前記駆動部及び前記基板の間のうち、少なくとも一方に設けられた耐磁板と、
を備え、
前記文字板に垂直な方向から見たときに、前記給電ピンと、前記耐磁板とは、重ならない、
ことを特徴とするアンテナ内蔵式電子時計。
【請求項２】
前記耐磁板は、前記駆動部及び前記文字板の間に設けられた第１耐磁板と、前記駆動部及び前記基板の間に設けられた第２耐磁板と、を含み、
前記文字板に垂直な方向から見たときに、前記給電ピンと、前記第１耐磁板及び前記第２耐磁板とは、重ならない、
ことを特徴とする請求項１に記載のアンテナ内蔵式電子時計。
【請求項３】
前記文字板に垂直な方向から見たときに、前記アンテナ体と、前記耐磁板とは、重ならない、
ことを特徴とする請求項２に記載のアンテナ内蔵式電子時計。
【請求項４】
前記文字板に垂直な方向から見たときの前記給電ピンと前記第１耐磁板との距離、及び、前記文字板に垂直な方向から見たときの前記給電ピンと前記第２耐磁板との距離は、前記給電ピンの長さよりも長い、
ことを特徴とする請求項２または３に記載のアンテナ内蔵式電子時計。
【請求項５】
前記文字板に垂直な方向から見たときに、前記給電ピンと前記第１耐磁板との距離は、前記給電ピンと前記第２耐磁板との距離よりも長い、
ことを特徴とする請求項２乃至４に記載のアンテナ内蔵式電子時計。
【請求項６】
前記アンテナ体に給電する二次電池を収納する電池収納部を備え、
前記文字板に垂直な方向から見たときに、前記電池収納部に収納された前記二次電池と前記給電ピンとの距離は、前記給電ピンの長さよりも長い、
ことを特徴とする、請求項２乃至５のうちいずれか１項に記載のアンテナ内蔵式時計。
【請求項７】
前記文字板に垂直な方向から見たときに、前記給電ピンと前記第１耐磁板との距離は、前記給電ピンと前記電池収納部に収納された二次電池との距離よりも長い、
ことを特徴とする請求項６に記載のアンテナ内蔵式電子時計。
【請求項８】
前記基板には、前記駆動部の動作を制御する制御部が設けられ、
前記文字板に垂直な方向から見たときに、前記制御部は、前記電池収納部と重ならない、
ことを特徴とする請求項６または７に記載のアンテナ内蔵式時計。
【請求項９】
少なくとも一部が前記外装ケースの外部に設けられた竜頭、及び、当該竜頭の動きを前記駆動部に伝達する巻真、を具備する操作部を備え、
前記文字板に垂直な方向から見たときに、前記巻真は、前記指針軸を中心として前記文字板の３時の方向に設けられ、前記給電ピンは、前記指針軸を中心として前記文字板の６時から１２時の範囲に設けられる、
ことを特徴とする請求項６乃至８のうちいずれか１項に記載のアンテナ内蔵式電子時計。
【請求項１０】
前記文字板に垂直な方向から見たときに、前記指針軸と前記給電ピンとを結ぶ線分、及び、前記指針軸と前記電池収納部に収納された二次電池の中心を結ぶ線分のなす角は、９０度以上で且つ１８０度以下であり、前記電池収納部に収納された前記二次電池と前記操作部とは重ならない、
ことを特徴とする、請求項９に記載のアンテナ内蔵式時計。
【請求項１１】
前記文字板に垂直な方向から見たときに、前記指針軸と前記給電ピンとを結ぶ線分の長さは、前記給電ピンと前記電池収納部に収納された二次電池の中心を結ぶ線分の長さ以下であり、前記電池収納部に収納された二次電池と前記操作部とは重ならない、
ことを特徴とする、請求項９または１０に記載のアンテナ内蔵式時計。
【請求項１２】
前記文字板に垂直な方向から見たときに、前記給電ピンは、前記指針軸を中心として前記文字板の９時の方向に設けられ、前記電池収納部は、当該電池収納部に収納された前記二次電池が、前記指針軸を中心として前記文字板の６時の方向、または、１２時の方向に位置するように設けられる、
ことを特徴とする請求項６乃至１１のうちいずれか１項に記載のアンテナ内蔵式時計。
【発明の詳細な説明】
【技術分野】
【０００１】
本発明は、アンテナを内蔵したアンテナ内蔵式電子時計に関する。
【背景技術】
【０００２】
近年、ＧＰＳ（Global Positioning System）衛星等の位置情報衛星からの電波を受信して正確な時刻表示を行うアナログ式の電子時計が開発されている。アナログ式の電子時計は、指針軸を中心に回転する指針と、歯車及びステップモーターを具備し指針を駆動する駆動部と、位置情報衛星からの電波を受信する環状のアンテナと、当該アンテナに電気的に接続され当該アンテナに所定の電位を供給する給電ピンとを備える（特許文献１参照）。
また、通常、アナログ式電子時計は、ステップモーターが磁界の影響を受けて誤作動することを防止するため、ステップモーターを磁気的にシールドするための耐磁板を備える。
【先行技術文献】
【特許文献】
【０００３】
【特許文献１】特開２０１１−２１９２９号公報
【発明の概要】
【発明が解決しようとする課題】
【０００４】
環状のアンテナの利得は、アンテナの中心から見て給電ピンから給電を受ける給電部が設けられている方向において最大となる。従って、位置情報衛星からの電波を含む電磁波を吸収する耐磁板が、給電ピンの近傍に設けられる場合、アンテナの利得が最大となる方向において位置情報衛星からの電波が耐磁板により遮られるため、アンテナが良好な電波受信性能を確保することが困難となる。
【０００５】
本発明は上述した事情に鑑みてなされたものであり、ステップモーターと、ステップモーターを磁気的にシールドするための耐磁板と、アンテナとを備えるアンテナ内蔵式電子時計において、アンテナの良好な受信性能を確保することを解決課題とする。
【課題を解決するための手段】
【０００６】
以上の課題を解決するため、本発明に係るアンテナ内蔵式電子時計は、外装ケースと、前記外装ケースに収納された環状の形状のアンテナ体と、前記アンテナ体の内側に設けられ、文字板と、指針軸を中心に回転可能な指針と、を具備する時刻表示部と、前記外装ケースに収納された基板と、前記文字板に平行な方向から見たときに前記基板及び前記文字板の間に設けられ、前記時刻表示部を駆動する駆動部と、前記アンテナ体に設けられた給電部と前記基板とを電気的に接続する給電ピンと、前記駆動部及び前記文字板の間、または、前記駆動部及び前記基板の間のうち、少なくとも一方に設けられた耐磁板と、を備え、前記文字板に垂直な方向から見たときに、前記給電ピンと、前記耐磁板とは、重ならない、ことを特徴とする。
アンテナ体に電位を供給する給電ピンの近傍に耐磁板が配置される場合、アンテナ体の受信性能が低下することがある。この発明によれば、給電ピンが平面視して耐磁板とは重ならない位置に設けられるので、給電ピンが耐磁板と重なる位置に設けられる場合と比較して、給電ピン及び耐磁板の間の距離を長くすることができる。このため、本発明に係るアンテナ内蔵式電子時計は、良好な受信性能を確保することが可能となる。
【０００７】
また、前記耐磁板は、前記駆動部及び前記文字板の間に設けられた第１耐磁板と、前記駆動部及び前記基板の間に設けられた第２耐磁板と、を含み、前記文字板に垂直な方向から見たときに、前記給電ピンと、前記第１耐磁板及び前記第２耐磁板とは、重ならない、ことが好ましい。
【０００８】
また、上述したアンテナ内蔵式電子時計において、前記文字板に垂直な方向から見たときに、前記アンテナ体と、前記耐磁板とは、重ならない、ことが好ましい。
アンテナ体の近傍に耐磁板が配置される場合、アンテナ体の受信性能が低下することがある。この態様によれば、アンテナ体が平面視して耐磁板とは重ならない位置に設けられるので、アンテナ体が耐磁板と重なる位置に設けられる場合と比較して、アンテナ体及び耐磁板の間の距離を長くすることができる。このため、本態様に係るアンテナ内蔵式電子時計は、良好な受信性能を確保することが可能となる。
【０００９】
また、上述したアンテナ内蔵式電子時計において、前記文字板に垂直な方向から見たときの前記給電ピンと前記第１耐磁板との距離、及び、前記文字板に垂直な方向から見たときの前記給電ピンと前記第２耐磁板との距離は、前記給電ピンの長さよりも長い、ことが好ましい。
この態様によれば、給電ピン及び耐磁板の間の距離を給電ピンの長さよりも長くするため、給電ピン及び耐磁板の間の距離が給電ピンの長さよりも短い場合と比較して、アンテナ体の良好な受信性能を確保することが可能となる。
【００１０】
また、上述したアンテナ内蔵式電子時計において、前記文字板に垂直な方向から見たときに、前記給電ピンと前記第１耐磁板との距離は、前記給電ピンと前記第２耐磁板との距離よりも長い、ことが好ましい。
アンテナ体は、駆動部よりも文字板側に設けられる。従って、駆動部よりも文字板側に設けられる第１耐磁板は、駆動部よりも基板側に設けられる第２耐磁板に比べて、アンテナ体までの距離が短い。よって、第１耐磁板がアンテナ体の受信性能に対して及ぼす影響の大きさは、第２耐磁板がアンテナ体の受信性能に対して及ぼす影響の大きさに比べて大きい。従って、第１耐磁板及び第２耐磁板のがアンテナ体の受信性能に対して及ぼす影響の程度を全体として小さく抑えるためには、平面視したときに、第１耐磁板とアンテナ体との距離を、第２耐磁板とアンテナ体との距離に比べて長くする必要がある。
この態様によれば、平面視したときの給電ピンと第１耐磁板との距離が、平面視したときの給電ピンと第２耐磁板との距離よりも長くなるような位置に、給電ピンが設けられる。環状のアンテナ体においては、給電ピンから給電を受ける部分が、アンテナ体の受信性能に大きく寄与する。よって、給電ピンを、第１耐磁板からの距離が長くなるような位置に設けることで、アンテナ体のうちアンテナ体の受信性能に大きく寄与する部分と第１耐磁板との距離も長くすることができる。これにより、第１耐磁板及び第２耐磁板がアンテナ体の受信性能に及ぼす影響の程度を、全体として小さく抑えることが可能となる。
【００１１】
また、上述したアンテナ内蔵式電子時計は、前記アンテナ体に給電する二次電池を収納する電池収納部を備え、前記文字板に垂直な方向から見たときに、前記電池収納部に収納された前記二次電池と前記給電ピンとの距離は、前記給電ピンの長さよりも長い、ことが好ましい。
アンテナ体に電位を供給する給電ピンの近傍に二次電池が配置される場合、アンテナ体の受信性能が低下することがある。この態様によれば、給電ピン及び二次電池の間の距離を給電ピンの長さよりも長くするため、給電ピン及び二次電池の間の距離が給電ピンの長さよりも短い場合と比較して、アンテナ体の良好な受信性能を確保することが可能となる。
【００１２】
また、前記電池収納部は、前記基板を挟んで、前記給電ピンとは反対側に設けられる、ことが好ましい。
この態様によれば、給電ピン及び二次電池の間に基板が設けられるため、給電ピン及び二次電池の間に基板が設けられない場合と比較して、二次電池が給電ピンを介してアンテナ体の受信性能に及ぼす影響を低減させることができ、アンテナ体の良好な受信性能を確保することができる。
【００１３】
また、上述したアンテナ内蔵式電子時計において、前記文字板に垂直な方向から見たときに、前記給電ピンと前記第１耐磁板との距離は、前記給電ピンと前記電池収納部に収納された二次電池との距離よりも長い、ことが好ましい。
【００１４】
また、上述したアンテナ内蔵式電子時計において、前記基板には、前記駆動部の動作を制御する制御部が設けられ、前記文字板に垂直な方向から見たときに、前記制御部は、前記電池収納部と重ならないことが好ましい。
【００１５】
また、上述したアンテナ内蔵式電子時計は、少なくとも一部が前記外装ケースの外部に設けられた竜頭、及び、当該竜頭の動きを前記駆動部に伝達する巻真、を具備する操作部を備え、前記文字板に垂直な方向から見たときに、前記給電ピンは、前記操作部と重ならない、ことが好ましい。
【００１６】
また、上述したアンテナ内蔵式電子時計は、少なくとも一部が前記外装ケースの外部に設けられた竜頭、及び、当該竜頭の動きを前記駆動部に伝達する巻真、を具備する操作部を備え、前記文字板に垂直な方向から見たときに、前記巻真は、前記指針軸を中心として前記文字板の３時の方向に設けられ、前記給電ピンは、前記指針軸を中心として前記文字板の６時から１２時の範囲に設けられる、ことが好ましい。
より具体的には、本態様に係るアンテナ内蔵式電子時計は、前記文字板に垂直な方向から見たときに、前記巻真は、前記指針軸を端点として前記文字板の３時の位置を通る半直線と交差するように設けられ、前記給電ピンは、前記指針軸及び前記文字板の６時の位置を通る直線上、または、当該直線よりも９時側に位置するように設けられる、ことを特徴とすることが好ましい。
【００１７】
また、上述したアンテナ内蔵式電子時計において、前記文字板に垂直な方向から見たときに、前記指針軸と前記給電ピンとを結ぶ線分、及び、前記指針軸と前記電池収納部に収納された二次電池の中心を結ぶ線分のなす角は、９０度以上で且つ１８０度以下であり、前記電池収納部に収納された前記二次電池と前記操作部とは重ならない、ことが好ましい。
この態様によれば、給電ピンは、指針軸を中心として二次電池から９０度以上離れた位置に設けられるため、９０度よりも近い位置に設けられる場合と比較して、給電ピン及び二次電池の間の距離を長くすることができる。このため、この態様に係るアンテナ内蔵式電子は、二次電池が給電ピンを介してアンテナ体の受信性能に及ぼす影響を低減させることができ、アンテナ体の良好な受信性能を確保することが可能となる。
なお、この発明において、「二次電池の中心」は、「二次電池の幾何学的重心」であってもよい。なお、二次電池の形状は、文字板に垂直な方向から見たときに、円形でも、円形以外の形状でも良い。
【００１８】
また、上述したアンテナ内蔵式電子時計において、前記文字板に垂直な方向から見たときに、前記指針軸と前記給電ピンとを結ぶ線分の長さは、前記給電ピンと前記電池収納部に収納された二次電池の中心を結ぶ線分の長さ以下であり、前記電池収納部に収納された二次電池と前記操作部とは重ならない、ことが好ましい。
この態様によれば、給電ピン及び二次電池の間の距離を給電ピン及び指針軸の間の距離よりも長くするため、給電ピン及び二次電池の間の距離が給電ピン及び指針軸の間の距離よりも短い場合と比較して、アンテナ体の良好な受信性能を確保することが可能となる。
【００１９】
また、上述したアンテナ内蔵式電子時計において、前記文字板に垂直な方向から見たときに、前記給電ピンは、前記指針軸を中心として前記文字板の９時の方向に設けられ、前記電池収納部は、当該電池収納部に収納された前記二次電池が、前記指針軸を中心として前記文字板の６時の方向、または、１２時の方向に位置するように設けられることが好ましい。
より具体的には、本態様に係るアンテナ内蔵式電子時計は、前記文字板に垂直な方向から見たときに、前記給電ピンは、前記指針軸を端点として前記文字板の９時を通る半直線と交差するように設けられ、前記電池収納部は、当該電池収納部に収納された前記二次電池が、前記指針軸を端点として前記文字板の６時を通る半直線、または、前記指針軸を端点として前記文字板の１２時を通る半直線と交差するように設けられる、ことを特徴とすることが好ましい。
【図面の簡単な説明】
【００２０】
【図１】本発明の一実施形態に係るアンテナ内蔵式電子時計１００（電子時計１００）を含むＧＰＳシステムの全体図である。
【図２】電子時計１００の平面図である。
【図３】電子時計１００の一部断面図である。
【図４】電子時計１００の一部の分解斜視図である。
【図５】電子時計１００のアンテナ体４０の形状及びアンテナ体４０に形成されたアンテナパターンを説明するための説明図である。
【図６】電子時計１００のアンテナ体４０、給電ピン４４、及び、二次電池２７の位置関係を説明するための説明図である。
【図７】電子時計１００のアンテナ体４０、給電ピン４４、二次電池２７、並びに、耐磁板Ｓ１及びＳ２の位置関係を説明するための説明図である。
【図８】電子時計１００のアンテナ体４０、給電ピン４４、二次電池２７、及び耐磁板Ｓ３の位置関係を説明するための説明図である。
【図９】電子時計１００のアンテナ体４０の受信性能を説明するための説明図である。
【図１０】電子時計１００の回路構成を示すブロック図である。
【図１１】変形例１に係る電子時計１００のアンテナ体４０、給電ピン４４、及び、二次電池２７の位置関係を説明するための説明図である。
【図１２】変形例５に係るアンテナ体４０ａを説明するための説明図である。
【図１３】変形例７に係るアンテナ体４０ｂを説明するための説明図である。
【図１４】変形例７に係るアンテナ体４０ｃを説明するための説明図である。
【図１５】変形例７に係るアンテナ体４０ｄを説明するための説明図である。
【図１６】変形例９に係る電子時計１００を説明するための説明図である。
【発明を実施するための形態】
【００２１】
以下、この発明の好適な実施の形態を、添付図面等を参照しながら詳細に説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２２】
＜Ａ：アンテナ内蔵式電子時計の機構的な構成＞
図１は、本発明の実施形態に係るアンテナ内蔵式電子時計１００（以下「電子時計１００」という）を含むＧＰＳシステムの全体図である。電子時計１００は、複数のＧＰＳ衛星２０の少なくとも１つからの電波（無線信号）を受信して内部時刻を修正する腕時計であり、腕に接触する面（以下、「裏面」という）の反対側の面（以下「表面」という）に時刻を表示する。
【００２３】
ＧＰＳ衛星２０は、地球上空における所定の軌道上を周回する位置情報衛星であり、１．５７５４２ＧＨｚの電波（Ｌ１波）に航法メッセージを重畳させて地上に送信している。以降の説明では、航法メッセージが重畳された１．５７５４２ＧＨｚの電波を「衛星信号」という。衛星信号は、右旋偏波の円偏波である。
なお、本実施形態において電子時計１００は、ＧＰＳシステムが備えるＧＰＳ衛星２０からの電波を受信するものであるが、ＧＰＳシステムは衛星測位システムの一例である。本発明は、ＧＰＳシステムの他に、ガリレオ（EU）、GLONASS（ロシア）、北斗（中国）等の全地球的航法衛星システム（GNSS）、SBAS等の静止衛星、または、準天頂衛星等、時刻情報を含む衛星信号を発信する位置情報衛星を備える、その他の衛星測位システムを使用することができる。すなわち、電子時計１００は、ＧＰＳ衛星２０以外の衛星を含む位置情報衛星からの電波（無線信号）を受信して内部時刻を修正する腕時計であってもよい。
【００２４】
現在、約３１個のＧＰＳ衛星２０（図１においては、約３１個のうち４個のみを図示）が存在している。各ＧＰＳ衛星２０は、衛星信号がどのＧＰＳ衛星２０から送信されたかを識別するために、Ｃ／Ａコード（Coarse/Acquisition Code）と呼ばれる１０２３ｃｈｉｐ（１ｍｓ周期）の固有のパターンを衛星信号に重畳する。Ｃ／Ａコードは、各ｃｈｉｐが＋１又は−１のいずれかでありランダムパターンのように見える。したがって、衛星信号と各Ｃ／Ａコードのパターンの相関をとることにより、衛星信号に重畳されているＣ／Ａコードを検出することができる。
【００２５】
ＧＰＳ衛星２０は原子時計を搭載しており、衛星信号には原子時計で計時された極めて正確な時刻情報（以下、「ＧＰＳ時刻情報」という）が含まれている。
また、地上のコントロールセグメントにより各ＧＰＳ衛星２０に搭載されている原子時計のわずかな時刻誤差が測定されており、衛星信号にはその時刻誤差を補正するための時刻補正パラメータも含まれている。
電子時計１００は、１つのＧＰＳ衛星２０から送信された衛星信号を受信し、その中に含まれるＧＰＳ時刻情報と時刻補正パラメータを使用して内部時刻を正確な時刻に修正する。
【００２６】
衛星信号にはＧＰＳ衛星２０の軌道上の位置を示す軌道情報も含まれている。電子時計１００は、ＧＰＳ時刻情報と軌道情報を使用して測位計算を行うことができる。測位計算は、電子時計１００の内部時刻にはある程度の誤差が含まれていることを前提として行われる。すなわち、電子時計１００の３次元の位置を特定するための３つのパラメータに加えて時刻誤差も未知数になる。そのため、電子時計１００は、一般的には４つ以上のＧＰＳ衛星からそれぞれ送信された衛星信号を受信し、その中に含まれるＧＰＳ時刻情報と軌道情報を使用して測位計算を行う。
【００２７】
図２は、電子時計１００の平面図である。図２に示すように、電子時計１００は、外装ケース８０を備えている。外装ケース８０は、金属またはその他の導電性材料で形成された円筒状のケース８１に、セラミックまたはその他の非導電性材料で形成されたガラス縁８２が嵌合されて構成されている。なお、本実施形態では、外装ケース８０を２部品で構成しているが、１部品で構成するようにしてもよい。
ガラス縁８２の内周側に、プラスチックまたはその他の非導電性材料で形成されたリング状のダイヤルリング８３を介して、円盤状の文字板１１が配置されている。文字板１１上には、指針軸１２を中心に周回して現在時刻を指し示す指針１３（１３ａ〜１３ｃ）が配置されている。
また、図２に示すように、文字板１１上には、小時計１４、及び、インジケータ１５が配置されている。小時計１４は、軸１４１を中心に回転可能な指針１４２及び１４３を備える。指針１４２及び１４３は、電子時計１００の利用者が予め定めた地域の現在時刻を示す。すなわち、電子時計１００は、指針１３並びに指針１４２及び１４３を備えることにより、２つの地域の現在時刻を同時に表示することができる。インジケータ１５は、軸１５１を中心に回転可能な指針１５２を備える。指針１５２は、電子時計１００が衛星信号を受信しているときには、電子時計１００が実行するモード（つまり、時刻情報取得モード、または、位置情報取得モードのうち、いずれのモードが実行されているか）を示し、衛星信号を受信していないときには、電子時計１００が備える二次電池の残容量を示す。なお、電子時計１００の利用者は、後述する操作ボタンを用いて、指針１５２が電子時計１００の実行するモードを示す状態、または、指針１５２が二次電池の残容量を示す状態の、一方の状態から他方の状態に切り替えることができる。電子時計１００が備える二次電池については後述する。
文字板１１の下部には、日付を表示する日付表示部１９が配置されており、文字板１１に形成された開口部１１ａを介して日付表示部１９が視認できるようになっている。
以下では、これら文字板１１、指針軸１２、指針１３、小時計１４、インジケータ１５、及び、日付表示部１９を、時刻表示部と総称する場合がある。
詳細は後述するが、外装ケース８０は、表面側及び裏面側の２つの開口を有している。そして、外装ケース８０の表面側の開口は、ガラス縁８２を介してカバーガラス８４で塞がれており、カバーガラス８４を介して、文字板１１、指針１３（１３ａ〜１３ｃ）、小時計１４、インジケータ１５、及び、日付表示部１９が視認可能となっている。
【００２８】
また、電子時計１００は、図１及び図２に示すように竜頭１６と、操作ボタン１７及び１８と、を備えている。これら竜頭１６、操作ボタン１７及び１８を手動操作することにより、電子時計１００を、少なくとも１つのＧＰＳ衛星２０からの衛星信号を受信して内部時刻情報の修正を行うモード（時刻情報取得モード）と、複数のＧＰＳ衛星２０からの衛星信号を受信して測位計算を行い内部時刻情報の時差を修正するモード（位置情報取得モード）と、に設定できる。また、電子時計１００は、時刻情報取得モードや位置情報取得モードを定期的に（自動的に）実行することもできる。
【００２９】
図３は電子時計１００の内部構造を示す一部断面図であり、図４は電子時計１００の一部の分解斜視図である。
図３に示すように、外装ケース８０は、金属またはその他の導電性材料で形成された円筒状のケース８１に、セラミックまたはその他の非導電性材料で形成された円筒状のガラス縁８２が嵌合されて構成されている。外装ケース８０は、表面側の開口Ｋ１及び裏面側の開口Ｋ２を有する。外装ケース８０の表面側の開口Ｋ１は、円盤状のカバーガラス８４で塞がれており、裏面側の開口Ｋ２は、ＳＵ（ステンレス）またはＴｉ（チタン）等の金属で形成された裏蓋８５で塞がれている。裏蓋８５とケース８１とは、例えばスクリュー溝で固定されている。
【００３０】
カバーガラス８４の下側（裏面側）には、ガラス縁８２の内周に沿って、プラスチックなどの非導電性材料で形成されたリング状のダイヤルリング８３が設けられている。また、ダイヤルリング８３の下側には、ケース８１の内周よりも内側に、プラスチックなどの非導電性材料で形成された地板３８が設けられている。
これら地板３８及びダイヤルリング８３と、外装ケース８０の内周とによって、ドーナツ状の収納空間が区画されている。収納空間には、環状のアンテナ体４０が収納されている。すなわち、アンテナ体４０は、ガラス縁８２の内周よりも内側に収容され、その上方をダイヤルリング８３で覆われている。また、収納空間には、アンテナ体４０及び地板３８の間に、金属により形成された環状のグランド板９０が収容されている。このグランド板９０は、図４に示すように、導電性材料で形成された、複数個（例えば、４個）の導通ばね９０ａを介して、ケース８１と電気的に接続されている。
【００３１】
図５を参照しつつ、アンテナ体４０の詳細について説明する。図５（Ａ）はアンテナ体４０の斜視図であり、図５（Ｂ）はアンテナ体４０の平面図である。また、図５（Ｃ）は、アンテナ体４０を図５（Ｂ）に示すＧ−ｇ線で切断した一部断面図である。
アンテナ体４０は、環状の誘電体４０１を基材として、これに金属等の導電性材料から形成されたアンテナパターン４０２及び４０３と、金属等の導電性材料から形成された給電部４０４とを、メッキまたは銀ペースト印刷等により形成したものである。
【００３２】
誘電体４０１は、酸化チタンなどの高周波で使用可能な誘電材料を樹脂に混ぜることで、比誘電率εｒが５〜２０程度となるように形成される。
図５（Ｃ）に示すように、誘電体４０１は、上面Ｔ１、外周面Ｔ２、底面Ｔ３、傾斜面ＴＰ１、及び、傾斜面ＴＰ２により囲まれた、５角形の断面形状を有する。この図に示すように、誘電体４０１の上面Ｔ１には、アンテナパターン４０２が形成され、傾斜面ＴＰ１には、アンテナパターン４０３が形成されている。また、誘電体４０１の傾斜面ＴＰ１、傾斜面ＴＰ２、及び、底面Ｔ３には、給電部４０４が形成されている。アンテナパターン４０３は、給電部４０４を介して、給電ピン４４に電気的に接続されている。これにより、アンテナ体４０のアンテナパターン４０３には、給電ピン４４を介して、所定の電位が供給される。一方、アンテナパターン４０２に対しては、アンテナ体４０の外部から電位が供給されることはない。
【００３３】
図５（Ｂ）に示すように、アンテナパターン４０２は、切欠部４０５を有し、環状の一部を切り欠いた形状に形成されている。また、アンテナパターン４０２は、位置情報衛星からの電波（衛星信号）に共振するようなアンテナ長を有している。
なお、ＧＰＳ衛星２０からの電波の周波数は約１．５７５ＧＨｚであり、１波長は約１９ｃｍとなる。円偏波を受信するためには、波長の１．０〜１．３５倍程度のアンテナ長（すなわち、アンテナパターン４０２の円周長）が必要であるため、ＧＰＳ衛星２０からの電波を受信するためには、約１９〜２６ｃｍのループアンテナが必要となる。このようなアンテナ長のループアンテナを腕時計の内部に収める場合、腕時計が大型化してしまう。
これに対して、本実施形態では、比誘電率εｒが５〜２０程度の誘電体４０１を基材としてアンテナ体４０を形成している。比誘電率εｒの誘電体４０１を用いる場合、当該誘電体４０１による波長短縮率は（εｒ）−１／２となる。つまり、比誘電率がεｒの誘電体４０１を備えることで、アンテナ体の受信する電波の波長を（εｒ）−１／２倍に短縮することができる。すなわち、本実施形態に係るアンテナ体４０は、比誘電率εｒの誘電体４０１を備えるため、このような誘電体４０１を備えない場合に比べて、アンテナ体４０のアンテナ長を（εｒ）−１／２倍にすることができ、アンテナの小型化を図ることができる。
例えば、給電部４０４と切欠部４０５とのなす角をΦａとし、切欠部４０５の長さをΔｋとし、無給電素子４０２の円周長をＬとし、受信する円偏波の波長（すなわち、波長短縮後の波長）をλとしたとき、Ｌ＝１．３１λ、Φａ＝４０°、Δｋ＝０．０１８λとしてもよい。
【００３４】
また、図５（Ｂ）に示すように、アンテナパターン４０３は、平面視して、環状の一部を切り出したいわゆるＣ型の形状を有し、アンテナパターン４０２と一定の間隔（例えば、０．０１λ程度の間隔）を保つように形成されている。これら２つのアンテナパターン４０２及び４０３は、互いに電磁的に結合し、電磁波を電流に変換するアンテナ素子として機能する。
なお、アンテナパターン４０３の長さを適宜設定することによって、アンテナ体４０に電気的に接続された回路との間のインピーダンスを整合することが可能となる。
【００３５】
説明を、図３及び図４に戻す。
図３に示すように、アンテナ体４０の内周よりも内側には、光透過性の文字板１１、文字板１１及び地板３８を貫通する指針軸１２、及び、指針軸１２を中心に周回して現在時刻を指し示す複数の指針１３（秒針１３ａ、分針１３ｂ、及び、時針１３ｃ）が設けられている。より具体的には、図３に示すように、指針軸１２は、軸１２ａ、軸１２ｂ、及び、軸１２ｃを備え、秒針１３ａは軸１２ａを中心に周回し、分針１３ｂは軸１２ｂを中心に周回し、時針１３ｃは軸１２ｃを中心に周回する。
また、図３では図示を省略するが、アンテナ体４０の内周よりも内側には、文字板１１及び地板３８を貫通する軸１４１、及び、軸１４１を中心に周回する指針１４２及び１４３、並びに、文字板１１及び地板３８を貫通する軸１５１、及び、軸１５１を中心に周回する指針１５２が設けられている。
指針軸１２は、外装ケース８０の中心軸（または、アンテナ体４０の中心軸）に沿って表裏方向に延在している。また、軸１４１及び軸１５１は、外装ケース８０の表裏方向に延在している（図４参照）。
文字板１１は、円形の板材であり、プラスチックなどの光透過性の非導電性材料で形成されている。図３に示すように、文字板１１は、カバーガラス８４及び地板３８の間に配置されている。文字板１１には、指針軸１２が貫通する穴、軸１４１が貫通する穴（図４参照）、及び、軸１５１が貫通する穴（図４参照）が形成されているとともに、日付表示部１９を視認させるための開口部１１ａ（図２及び図４参照）が形成されている。
指針１３、指針１４２及び１４３、並びに、指針１５２は、アンテナ体４０の内周よりも内側で、且つ、カバーガラス８４及び文字板１１の間に配置されている。
【００３６】
地板３８の下側（裏面側）には、時刻表示部（指針１３、指針１４２及び１４３、日付表示部１９）を駆動するための駆動機構（駆動部）３０が取り付けられている。
駆動機構３０は、複数のステップモーターＭ１〜Ｍ５を備えるとともに、複数のステップモーターＭ１〜Ｍ５のそれぞれに対応した複数の輪列を備える。各輪列は、１または複数の歯車等により構成されている。なお、以下では、ステップモーターＭ１〜Ｍ５を、ステップモーターＭと総称する場合がある。
駆動機構３０は、指針軸１２を回転させることにより、複数の指針１３を駆動する。具体的には、駆動機構３０のステップモーターＭ１は、輪列を介して、秒針１３ａが指針軸１２の周りを６０秒で一周するように軸１２ａを回転させる。また、駆動機構３０のステップモーターＭ２は、輪列を介して、時針１３ｃが指針軸１２の周りを１２時間で１周するように軸１２ｂを回転させるとともに、分針１３ｂが指針軸１２の周りを６０分で一周するように軸１２ｃを回転させる。駆動機構３０のステップモーターＭ３は、輪列を介して軸１４１を回転させることにより、指針１４２及び１４３を駆動する。駆動機構３０のステップモーターＭ４は、輪列を介して軸１５１を回転させることにより、指針１５２を駆動する。駆動機構３０のステップモーターＭ５は、輪列を介して、日付表示部１９の表示を切り替えるように日付表示部１９を駆動する。このように、駆動機構３０は、時刻表示部を駆動する。
【００３７】
また電子時計１００は、外装ケース８０の内側に、基板２５を備える。基板２５は、樹脂や誘電体を含む素材で形成され、駆動機構３０の下側（つまり、駆動機構３０及び裏蓋８５の間）に配置されている。
基板２５の下面（裏側の面）には、ＧＰＳ受信部（無線受信部）２６及び制御部７０を含む回路ブロックが実装されている。ＧＰＳ受信部２６は、例えば、１チップのＩＣモジュールで構成され、そこにはアナログ回路とデジタル回路とが含まれている。制御部７０は、制御信号をＧＰＳ受信部２６に送り、ＧＰＳ受信部２６の受信動作を制御するとともに、駆動機構３０の動作を制御する。
【００３８】
基板２５の上側には、金属またはその他の導電性材料で形成された給電ピン４４が設けられている。給電ピン４４は、スプリングを内蔵し、地板３８及びグランド板９０に開口された挿通孔を貫通して基板２５とアンテナ体４０の給電部４０４とに接触するように設けられている。アンテナ体４０の給電部４０４は、給電ピン４４を介して基板２５（厳密には、基板２５上に設けられた配線）に電気的に接続され、基板２５から所定の電位が供給されている。
なお、本実施形態では、スプリングを内蔵した給電ピン４４により、基板２５と給電部４０４とを電気的に接続するが、給電ピン４４はスプリングを内蔵していないものであってもよい。要するに、給電ピン４４は、基板２５と給電部４０４とを電気的に接続する導電体を含んで構成されるものであればどのようなものであってもよい。
【００３９】
ＧＰＳ受信部２６及び制御部７０を含む回路ブロックは、導電性材料により形成されたシールド９１により覆われている。シールド９１は、回路押え３９、裏蓋８５、及び、ケース８１、を介して、グランド板９０と電気的に接続されている。また、シールド９１には、回路ブロックのグランド電位が供給されている。すなわち、シールド９１、裏蓋８５、ケース８１、及び、グランド板９０は、その電位が、回路ブロックのグランド電位に保たれており、グランドプレーンとして機能している。
【００４０】
駆動機構３０と地板３８との間には、耐磁板Ｓ１及びＳ２が設けられ、駆動機構３０と基板２５との間には、耐磁板Ｓ３が設けられている。以下では、耐磁板Ｓ１及びＳ２を第１耐磁板と総称し、耐磁板Ｓ３を第２耐磁板と称する場合がある。これら耐磁板Ｓ１〜Ｓ３は、純鉄等の高い透磁率を有する導電性材料から形成される。
【００４１】
電子時計１００の外部に、スピーカー等の強い磁界を発生させる物体が存在する場合、当該磁界の影響により、ステップモーターＭが誤作動する可能性がある。また、電子時計１００を構成する各種構成要素のうち、ケース８１、裏蓋８５等の金属は、磁化された場合に磁界を発生させる。さらには、基板２５に設けられた回路ブロックも、磁界を発生させることがある。
本実施形態では、高い透磁率を有する材料から形成される耐磁板Ｓ１〜Ｓ３により、ステップモーターＭを覆うことにより、駆動機構３０を磁気的にシールドし、上述した各種磁界に起因してステップモーターＭが誤作動することを防止している。
【００４２】
また電子時計１００は、外装ケース８０の内側に、リチウムイオン電池などの円柱形状の二次電池２７、当該二次電池２７を収納するための電池収納部２８、及び、光発電を行うソーラーパネル８７を備える。
ソーラーパネル８７は、光エネルギーを電気エネルギー（電力）に変換する複数のソーラーセル（光発電素子）を直列接続した円形の平板である。ソーラーパネル８７は、アンテナ体４０の内周よりも内側で、地板３８と文字板１１との間に配置されている。ソーラーパネル８７の中央部には、指針軸１２が貫通する穴、軸１４１が貫通する穴（図４参照）、及び、軸１５１が貫通する穴（図４参照）が形成されているとともに、日付表示部１９を視認させるための開口部８７ａ（図２及び図４参照）が形成されている。
二次電池２７は、ソーラーパネル８７が発電した電力で充電される。この二次電池２７を収納するための電池収納部２８は、基板２５の下側（つまり、基板２５及び裏蓋８５の間）に配置されている。
【００４３】
なお、外装ケース８０の外側には、竜頭１６と、操作ボタン１７及び１８とが設けられる（図２参照）。電子時計１００の利用者が、竜頭１６を操作することで生じる竜頭１６の動きは、外装ケース８０を貫通する巻真１６ａを介して、駆動機構３０に伝達される。また、電子時計１００の利用者が、操作ボタン１７（または１８）を押下することで生じる操作ボタン１７（または１８）の動きは、外装ケース８０を貫通するボタン軸１７ａ（またはボタン軸１８ａ）を介して（図６参照）、図示省略されたスイッチに伝達される。そして、当該スイッチは、操作ボタン１７（または１８）からの圧力を電気的な信号に変換して、制御部７０に伝達する。
以下では、これら、竜頭１６、巻真１６ａ、操作ボタン１７及び１８、並びに、ボタン軸１７ａ及び１８ａを、操作部と総称する場合がある。
【００４４】
図６は、平面視したとき（すなわち、文字板１１に垂直な方向から電子時計１００を見たとき）の、外装ケース８０、アンテナ体４０、給電ピン４４、二次電池２７（電池収納部２８）、及び、操作部（竜頭１６、巻真１６ａ、操作ボタン１７及び１８、ボタン軸１７ａ及び１８ａ）の位置関係を説明するための説明図である。
【００４５】
図６に示すように、電池収納部２８は、平面視したときに、二次電池２７（電池収納部２８に収納された二次電池２７）とアンテナ体４０とが重ならないような位置に配置される。また、給電ピン４４は、平面視したときに、電池収納部２８に収納された二次電池２７と重ならない位置に配置される。
なお、構造上の理由から、電池収納部２８は、平面視して操作部（より具体的には、操作部のうち巻真１６ａ）と重なる位置に配置することができない。また、給電ピン４４も、平面視して操作部（より具体的には、操作部のうち巻真１６ａ、ボタン軸１７ａ及び１８ａ）と重なる位置に配置することができない。よって、電池収納部２８及び給電ピン４４は、平面視して操作部と重ならないように配置される。また、構造上の理由から、電池収納部２８は、ＧＰＳ受信部２６及び制御部７０を含む回路ブロック（図６では図示省略）と平面視して重ならないように配置される。
【００４６】
アンテナ体４０は、アンテナ体４０とは異なる電位を有するグランド板９０との間で共振することで、位置情報衛星からの電波を受信する。よって、アンテナ体４０の受信性能を良好に保つためには、アンテナ体４０とグランド板９０との間の共振周波数を一定に保つことが必要である。
二次電池２７が、アンテナ体４０または給電ピン４４の近傍に位置する場合、二次電池２７及びアンテナ体４０の間、または、二次電池２７及び給電ピン４４の間に、容量が寄生することがある。そして、当該寄生容量と、アンテナ体４０の容量とが結合する場合、アンテナ体４０とグランド板９０との間の共振周波数が変化するため、アンテナ体４０が良好な受信性能を維持できなくなる。
また、二次電池２７は、ＧＰＳ衛星２０からの電波（衛星信号）を含む電磁波を吸収または反射する。よって、二次電池２７が、アンテナ体４０の近傍に位置する場合、アンテナ体４０が良好な受信性能を維持できなくなる。特に、アンテナ体４０の利得は、アンテナ体４０の中心から見て給電部４０４が設けられている方向が最大となる（すなわち、アンテナ体４０の中心から見て給電部４０４が設けられている方向がアンテナ体４０の最大放射方向に該当する）。そのため、給電部４０４に接続する給電ピン４４が、二次電池２７の近傍に位置する場合、アンテナ体４０の受信性能が大きく劣化することになる。
このような、二次電池２７がアンテナ体４０の受信性能に対して及ぼす影響の大きさは、二次電池２７とアンテナ体４０との距離が短い場合、または、二次電池２７と給電ピン４４との距離が短い場合に、大きくなる。
【００４７】
これに対して、本実施形態では、アンテナ体４０が平面視して二次電池２７と重ならないような位置に配置されるとともに、給電ピン４４が平面視して二次電池２７と重ならないような位置に配置される。すなわち、本実施形態は、アンテナ体４０及び二次電池２７が平面視して重なる場合に比べ、アンテナ体４０及び二次電池２７の間の距離を長くすることができる。また、本実施形態は、給電ピン４４及び二次電池２７が平面視して重なる場合に比べ、給電ピン４４及び二次電池２７の間の距離を長くすることができる。
従って、本実施形態では、二次電池２７とアンテナ体４０または給電ピン４４との間に容量が寄生する可能性を低く抑え、二次電池２７がアンテナ体４０の受信性能に対して及ぼす影響を小さく抑えることができ、アンテナ体４０の受信性能を良好に保つことが可能となる。
【００４８】
ここで、図６に示す平面上において、給電ピン４４及び指針軸１２を結ぶ線分を線分Ｌｐｘと称し、電池収納部２８に収納された二次電池２７の中心Ｂと指針軸１２とを結ぶ線分を線分Ｌｂｘと称する。このとき、給電ピン４４は、平面視してアンテナ体４０と重なる位置であって、且つ、線分Ｌｂｘと線分Ｌｐｘとのなす角度θが９０度以上で且つ１８０度以下となるような位置に配置される。
【００４９】
角度θが９０度以上で且つ１８０度以下のとなる位置に給電ピン４４を配置する場合、角度θが９０度よりも小さくなるような位置に給電ピン４４を配置する場合に比べて、給電ピン４４と、二次電池２７との間の距離を長くすることができる。これにより、二次電池２７がアンテナ体４０の受信性能に対して及ぼす影響を小さく抑え、アンテナ体４０の受信性能の低下を抑止することができる。
【００５０】
なお、本実施形態では、図６に示すように、竜頭１６及び巻真１６ａが、指針軸１２を中心として３時の方向に設けられている。より詳細には、竜頭１６及び巻真１６ａは、平面視したときに、指針軸１２を端点として、文字板１１の３時の位置（例えば、図２に示す、文字板１１に設けられた３時を表す目盛）を通る半直線Ｌ３と交差する位置に設けられている。
また、本実施形態では、図６に示すように、操作ボタン１７及びボタン軸１７ａは、指針軸１２を中心として２時の方向（つまり、指針軸１２を端点として、文字板１１の２時の位置を通る半直線Ｌ２と交差する位置）に設けられ、操作ボタン１８及びボタン軸１８ａは、指針軸１２を中心として４時の方向（つまり、指針軸１２を端点として、文字板１１の４時の位置を通る半直線Ｌ４と交差する位置）に設けられている。
すなわち、本実施形態に係る操作部は、平面視して１時から５時の範囲に含まれるように設けられている。換言すれば、操作部は、指針軸１２を端点として文字板１１の１時の位置を通る半直線Ｌ１よりも図において右側で、且つ、指針軸１２を端点として文字板１１の５時の位置を通る半直線Ｌ５よりも図において右側の領域に含まれるように設けられている。
【００５１】
上述のとおり、電池収納部２８は、平面視して巻真１６ａと重ならない位置に配置される必要があり、給電ピン４４は、平面視して巻真１６ａ、ボタン軸１７ａ及び１８ａと重ならない位置に配置される必要がある。そこで、本実施形態では、電池収納部２８及び給電ピン４４を、平面視して６時から１２時の範囲に配置する。
より詳細には、給電ピン４４は、平面視したときに、アンテナ体４０と重なる位置のうち、指針軸１２を端点として文字板１１の６時の位置を通る半直線Ｌ６と交差する位置、指針軸１２を端点として文字板１１の１２時の位置を通る半直線Ｌ１２と交差する位置、または、半直線Ｌ６及び半直線Ｌ１２よりも文字板１１の９時側の位置に設けられている。
同様に、電池収納部２８は、平面視したときに、電池収納部２８に収納された二次電池２７の中心Ｂが、半直線Ｌ６と交差する位置、半直線Ｌ１２と交差する位置、または、半直線Ｌ６及び半直線Ｌ１２よりも文字板１１の９時側の位置に設けられている。
【００５２】
上述のとおり、給電ピン４４は、線分Ｌｂｘと線分Ｌｐｘとのなす角度θが９０度以上で且つ１８０度以下となるような位置に配置される。従って、例えば、二次電池２７の中心Ｂが１２時の方向に位置するように電池収納部２８が設けられる場合、給電ピン４４は、６時から９時の範囲（６時の方向及び９時の方向を含む）に設けられる。逆に、二次電池２７の中心Ｂが６時の方向に位置するように電池収納部２８が設けられる場合、給電ピン４４は、９時から１２時の範囲（９時の方向及び１２時の方向を含む）に設けられる。
本実施形態では、図６に示すように、電池収納部２８は、二次電池２７の中心Ｂが１２時の方向に位置するように設けられ、給電ピン４４は、９時の方向に設けられる。
【００５３】
なお、給電ピン４４の配置位置については、後述する耐磁板Ｓ１〜Ｓ３との関係によっても制約を受ける。
すなわち、給電ピン４４の位置は、上述した、二次電池２７及び操作部の間の相対的な位置関係を考慮することに加え、後述する耐磁板Ｓ１〜Ｓ３との間の相対的な位置関係をも考慮して、決定されている。
【００５４】
図７は、平面視したときの、アンテナ体４０、給電ピン４４、二次電池２７、耐磁板Ｓ１及びＳ２、並びに、ステップモーターＭ１〜Ｍ５の位置関係を表す説明図である。図８は、平面視したときの、アンテナ体４０、給電ピン４４、二次電池２７、耐磁板Ｓ３、及び、ステップモーターＭ１〜Ｍ５の位置関係を表す説明図である。
図７に示すように、耐磁板Ｓ１及びＳ２は、平面視して、各ステップモーターＭの少なくとも一部と重なるように設けられる。また、図８に示すように、耐磁板Ｓ３は、平面視して、各ステップモーターＭの少なくとも一部と重なるように設けられる。これにより、各ステップモーターＭは、駆動機構３０の外部から発せられる磁界から磁気的にシールドされ、当該磁界に起因するステップモーターＭの誤作動を防止することが可能となる。
【００５５】
しかし、耐磁板Ｓ１〜Ｓ３及びアンテナ体４０の間、または、耐磁板Ｓ１〜Ｓ３及び給電ピン４４の間には、容量が寄生することがある。そして、当該寄生容量と、アンテナ体４０の容量とが結合する場合、アンテナ体４０とグランド板９０との間の共振周波数が変化するため、アンテナ体４０が良好な受信性能を維持できなくなる。
また、耐磁板Ｓ１〜Ｓ３は、ＧＰＳ衛星２０からの電波（衛星信号）を含む電磁波を吸収する。そのため、電子時計１００が耐磁板Ｓ１〜Ｓ３を備える場合、耐磁板Ｓ１〜Ｓ３を備えない場合に比べて、ＧＰＳ衛星２０からの電波のうちアンテナ体４０が受信する電波の強度が低下し、アンテナ体４０の受信性能が低下することがある。
【００５６】
図９を参照しつつ、耐磁板を設けることと、アンテナ体４０の受信性能との関係について説明する。
図９において、実線で表された曲線ＣＡは、電子時計１００が耐磁板Ｓ２及びＳ３を備え、耐磁板Ｓ１を備えない場合に測定された、アンテナ体４０の指向特性を表している。また、破線で表された曲線ＣＢは、電子時計１００が耐磁板Ｓ１〜Ｓ３を備える場合に測定された、アンテナ体４０の指向特性を表している。なお、この図では、曲線ＣＡで表されるアンテナ体４０の利得の最大値が０ｄＢとなるように、アンテナ体４０の利得を示す値を正規化している。
曲線ＣＡに示されるように、電子時計１００が耐磁板Ｓ１を備えない場合の、アンテナ体４０の利得の最大値は０ｄＢｉｃであり、平均値は−２．９ｄＢｉｃである。一方、曲線ＣＢに示されるように、電子時計１００が耐磁板Ｓ１を備える場合の、アンテナ体４０の利得の最大値は−０．５ｄＢｉｃであり、平均値は−３．４ｄＢｉｃである。図９に示す測定結果から、電子時計１００が耐磁板Ｓ１を備える場合には、備えない場合に比べて、アンテナ体４０の利得の最大値が０．５ｄＢｉｃ低下し、平均値が０．５ｄＢｉｃ低下することを、読み取ることができる。すなわち、アンテナ体４０の受信性能を向上させるためには、電子時計１００は耐磁板を備えないことが望ましい。
しかし、上述のとおり、耐磁板Ｓ１〜Ｓ３は、ステップモーターＭの誤作動防止の観点から必要な構成要素である。従って、耐磁板Ｓ１〜Ｓ３を備えてステップモーターＭの誤作動防止を図りつつ、アンテナ体４０の受信性能の劣化を最小限に抑えるようにすることが必要となる。
【００５７】
耐磁板Ｓ１〜Ｓ３がアンテナ体４０の受信性能に及ぼす影響の大きさは、アンテナ体４０と耐磁板Ｓ１〜Ｓ３との距離が短くなるにしたがって大きくなり、また、給電ピン４４と耐磁板Ｓ１〜Ｓ３との距離が短くなるにしたがって大きくなる。
本実施形態では、図７及び図８に示すように、アンテナ体４０を、平面視して耐磁板Ｓ１〜Ｓ３と重ならない位置に配置する。この場合、アンテナ体４０が、平面視して耐磁板Ｓ１〜Ｓ３と重なる位置に設けられる場合に比べて、アンテナ体４０及び耐磁板Ｓ１〜Ｓ３の間の距離を長くすることができる。
上述のとおり、アンテナ体４０の利得は、アンテナ体４０の中心から見て給電部４０４が設けられている方向が最大となる。そのため、給電部４０４に接続する給電ピン４４が、耐磁板Ｓ１〜Ｓ３の近傍に位置する場合、アンテナ体４０の受信性能が大きく劣化することになる。これに対して、本実施形態では、給電ピン４４を、平面視して耐磁板Ｓ１〜Ｓ３と重ならない位置に配置する。この場合、給電ピン４４が、平面視して耐磁板Ｓ１〜Ｓ３と重なる位置に設けられる場合に比べて、給電ピン４４及び耐磁板Ｓ１〜Ｓ３の間の距離を長くすることができる。
このように、本実施形態では、アンテナ体４０及び給電ピン４４と、耐磁板Ｓ１〜Ｓ３との距離を長くするため、耐磁板Ｓ１〜Ｓ３がアンテナ体４０の受信性能に対して及ぼす影響を小さく抑え、アンテナ体４０の受信性能を良好に保つことが可能となる。
【００５８】
また、本実施形態において、給電ピン４４は、平面視したときの給電ピン４４と耐磁板Ｓ１〜Ｓ３との距離が、所定の長さよりも長くなるような位置に設けられる。より具体的には、給電ピン４４は、平面視したときの給電ピン４４と耐磁板Ｓ１との距離ΔＳ１、平面視したときの給電ピン４４と耐磁板Ｓ２との距離ΔＳ２、及び、平面視したときの給電ピン４４と耐磁板Ｓ３との距離ΔＳ３が、いずれも、給電ピン４４の長さΔＰよりも長くなるような位置に配置される。これにより、給電ピン４４と、耐磁板Ｓ１〜Ｓ３との間の距離を長くすることができ、アンテナ体４０の受信性能を良好に保つことが可能となる。なお、給電ピン４４の長さΔＰとは、厳密には、図３に示すように、給電ピン４４が基板２５及びアンテナ体４０の間に配置されている状態における給電ピン４４の長さである。
以下では、距離ΔＳ１〜ΔＳ３のいずれもが給電ピン４４の長さΔＰよりも長くなることを、第１条件と称する場合がある。
【００５９】
また、本実施形態において、給電ピン４４及び耐磁板Ｓ１〜Ｓ３は、距離ΔＳ１及び距離ΔＳ２が、距離ΔＳ３以上となるように配置される。すなわち、給電ピン４４及び耐磁板Ｓ１〜Ｓ３は、「ΔＳ１≧ΔＳ２＞ΔＳ３」、または、「ΔＳ２≧ΔＳ１＞ΔＳ３」、のいずれかの条件を満たすように配置される。例えば、図７及び図８では、給電ピン４４及び耐磁板Ｓ１〜Ｓ３が、「ΔＳ１≧ΔＳ２＞ΔＳ３」となるように配置される場合を例示している。
なお、以下では、距離ΔＳ１及び距離ΔＳ２が距離ΔＳ３よりも長くなることを、第２条件と称する場合がある。
【００６０】
耐磁板Ｓ３は、ＧＰＳ受信部２６及び制御部７０を含む回路ブロックからのノイズをシールドする。よって、ステップモーターＭの誤作動防止という観点からは、耐磁板Ｓ１及びＳ２に比べ、耐磁板Ｓ３がより重要な役割を果たす場合が多い。そのため、耐磁板Ｓ３は、各ステップモーターＭのできるだけ多くの部分を覆うように配置されることが望ましい。この場合、給電ピン４４及び耐磁板Ｓ３の間に、十分な距離を確保できないことがある。
本実施形態では、距離ΔＳ３を十分な長さにすることができない場合であっても、少なくとも距離ΔＳ１及び距離ΔＳ２が距離ΔＳ３よりも長くなるように、給電ピン４４と耐磁板Ｓ１及びＳ２とを配置する。これにより、ステップモーターＭの誤作動を防止しつつ、耐磁板Ｓ１及びＳ２がアンテナ体４０の受信性能に対して及ぼす影響を小さく抑えることが可能となる。
【００６１】
また、本実施形態において、給電ピン４４及び耐磁板Ｓ１〜Ｓ３は、距離ΔＳ１及び距離ΔＳ２が、平面視したときの給電ピン４４と二次電池２７との距離ΔＢよりも長くなるような位置に配置される。
なお、以下では、距離ΔＳ１及び距離ΔＳ２が距離ΔＢよりも長くなることを、第３条件と称する場合がある。
【００６２】
二次電池２７は、基板２５よりも下側に配置される。一方、耐磁板Ｓ１〜Ｓ３は、基板２５よりも上側に設けられる。そのため、基板２５よりも上側に配置される給電ピン４４は、二次電池２７からのノイズよりも、耐磁板Ｓ１〜Ｓ３からのノイズの影響を受けやすい。つまり、耐磁板Ｓ１〜Ｓ３がアンテナ体４０の受信性能に対して及ぼす影響の大きさは、二次電池２７がアンテナ体４０の受信性能に対して及ぼす影響の大きさに比べて、大きい。
本実施形態では、距離ΔＳ１及び距離ΔＳ２を距離ΔＢよりも長くするため、耐磁板Ｓ１〜Ｓ３及び二次電池２７が、アンテナ体４０の受信性能に対して及ぼす影響の大きさを、全体として低減させることができ、アンテナ体４０の受信性能を良好に保つことが可能となる。
【００６３】
＜Ｂ：アンテナ内蔵式電子時計の回路構成＞
図１０は、電子時計１００の回路構成を示すブロック図である。図１０に示すように、電子時計１００は、ＧＰＳ受信部２６及び制御表示部３６を含んで構成されている。ＧＰＳ受信部２６は、衛星信号の受信、ＧＰＳ衛星２０の捕捉、位置情報の生成、時刻修正情報の生成等の処理を行う。制御表示部３６は、内部時刻情報の保持及び内部時刻情報の修正等の処理を行う。
【００６４】
ソーラーパネル８７は、充電制御回路２９を通じて二次電池２７を充電する。電子時計１００はレギュレータ３４及び３５を備え、二次電池２７は、レギュレータ３４を介して制御表示部３６に、レギュレータ３５を介してＧＰＳ受信部２６に駆動電力を供給する。また電子時計１００は、二次電池２７の電圧を検出する電圧検出回路３７を備える。なお、レギュレータ３５に代えて、例えば、ＲＦ部５０（詳細は後述）に駆動電力を供給するレギュレータ３５−１と、ベースバンド部６０（詳細は後述）に駆動電力を供給するレギュレータ３５−２（ともに図示せず）とに分けて設けてもよい。レギュレータ３５−１は、ＲＦ部５０の内部に設けてもよい。
【００６５】
また電子時計１００は、アンテナ体４０、及び、ＳＡＷ（Surface Acoustic Wave：表面弾性波）フィルタ３２を含む。アンテナ体４０は、図１で説明したように、複数のＧＰＳ衛星２０からの衛星信号を受信する。ただし、アンテナ体４０は衛星信号以外の不要な電波も若干受信してしまうため、ＳＡＷフィルタ３２は、アンテナ体４０が受信した信号から衛星信号を抽出する処理を行う。すなわち、ＳＡＷフィルタ３２は、１．５ＧＨｚ帯の信号を通過させるバンドパスフィルタとして構成される。
【００６６】
また、ＧＰＳ受信部２６は、ＲＦ（Radio Frequency：無線周波数）部５０とベースバンド部６０を含んで構成されている。以下に説明するように、ＧＰＳ受信部２６は、ＳＡＷフィルタ３２が抽出した１．５ＧＨｚ帯の衛星信号から航法メッセージに含まれる軌道情報やＧＰＳ時刻情報等の衛星情報を取得する処理を行う。
【００６７】
ＲＦ部５０は、ＬＮＡ（Low Noise Amplifier）５１、ミキサ５２、ＶＣＯ（Voltage Controlled Oscillator）５３、ＰＬＬ（Phase Locked Loop）回路５４、ＩＦアンプ５５、ＩＦ（Intermediate Frequency：中間周波数）フィルタ５６、ＡＤＣ（Ａ／Ｄ変換器）５７等を含んで構成されている。
【００６８】
ＳＡＷフィルタ３２が抽出した衛星信号は、ＬＮＡ５１で増幅される。ＬＮＡ５１で増幅された衛星信号は、ミキサ５２でＶＣＯ５３が出力するクロック信号とミキシングされて中間周波数帯の信号にダウンコンバートされる。ＰＬＬ回路５４は、ＶＣＯ５３の出力クロック信号を分周したクロック信号と基準クロック信号を位相比較してＶＣＯ５３の出力クロック信号を基準クロック信号に同期させる。その結果、ＶＣＯ５３は基準クロック信号の周波数精度の安定したクロック信号を出力することができる。なお、中間周波数として、例えば、数ＭＨｚを選択することができる。
【００６９】
ミキサ５２でミキシングされた信号は、ＩＦアンプ５５で増幅される。ここで、ミキサ５２でのミキシングにより、中間周波数帯の信号とともに数ＧＨｚの高周波信号も生成される。そのため、ＩＦアンプ５５は、中間周波数帯の信号とともに数ＧＨｚの高周波信号も増幅する。ＩＦフィルタ５６は、中間周波数帯の信号を通過させるとともに、この数ＧＨｚの高周波信号を除去する（正確には、所定のレベル以下に減衰させる）。ＩＦフィルタ５６を通過した中間周波数帯の信号はＡＤＣ（Ａ／Ｄ変換器）５７でデジタル信号に変換される。
【００７０】
ベースバンド部６０は、ＤＳＰ（Digital Signal Processor）６１、ＣＰＵ（Central Processing Unit）６２、ＳＲＡＭ（Static Random Access Memory）６３、ＲＴＣ（リアルタイムクロック）６４を含んで構成されている。また、ベースバンド部６０には、温度補償回路付き水晶発振回路（ＴＣＸＯ：Temperature Compensated Crystal Oscillator）６５やフラッシュメモリ６６等が接続されている。
【００７１】
温度補償回路付き水晶発振回路（ＴＣＸＯ）６５は、温度に関係なくほぼ一定の周波数の基準クロック信号を生成する。フラッシュメモリ６６には、例えば時差情報が記憶されている。時差情報は、時差データ（座標値（例えば、緯度及び経度）に関連づけられたＵＴＣに対する補正量等）が定義された情報である。
【００７２】
ベースバンド部６０は、時刻情報取得モード又は位置情報取得モードに設定されると、ＲＦ部５０のＡＤＣ５７が変換したデジタル信号（中間周波数帯の信号）からベースバンド信号を復調する処理を行う。
【００７３】
また、ベースバンド部６０は、時刻情報取得モード又は位置情報取得モードに設定されると、後述する衛星検索工程において、各Ｃ／Ａコードと同一のパターンのローカルコードを発生し、ベースバンド信号に含まれる各Ｃ／Ａコードとローカルコードの相関をとる処理を行う。そして、ベースバンド部６０は、各ローカルコードに対する相関値がピークになるようにローカルコードの発生タイミングを調整し、相関値が閾値以上となる場合にはそのローカルコードのＧＰＳ衛星２０に同期（すなわち、ＧＰＳ衛星２０を捕捉）したものと判断する。ここで、ＧＰＳシステムでは、すべてのＧＰＳ衛星２０が異なるＣ／Ａコードを用いて同一周波数の衛星信号を送信するＣＤＭＡ（Code Division Multiple Access）方式を採用している。したがって、受信した衛星信号に含まれるＣ／Ａコードを判別することで、捕捉可能なＧＰＳ衛星２０を検索することができる。
【００７４】
また、ベースバンド部６０は、時刻情報取得モード又は位置情報取得モードにおいて、捕捉したＧＰＳ衛星２０の衛星情報を取得するために、当該ＧＰＳ衛星２０のＣ／Ａコードと同一のパターンのローカルコードとベースバンド信号をミキシングする処理を行う。ミキシングされた信号には、捕捉したＧＰＳ衛星２０の衛星情報を含む航法メッセージが復調される。そして、ベースバンド部６０は、航法メッセージの各サブフレームのＴＬＭワード（プリアンブルデータ）を検出し、各サブフレームに含まれる軌道情報やＧＰＳ時刻情報等の衛星情報を取得する（例えばＳＲＡＭ６３に記憶する）処理を行う。ここで、ＧＰＳ時刻情報は、週番号データ（ＷＮ）及びＺカウントデータであるが、以前に週番号データが取得されている場合にはＺカウントデータのみであってもよい。そして、ベースバンド部６０は、衛星情報に基づいて、内部時刻情報を修正するために必要な時刻修正情報を生成する。
【００７５】
時刻情報取得モードの場合、より具体的には、ベースバンド部６０は、ＧＰＳ時刻情報に基づいて測時計算を行い、時刻修正情報を生成する。時刻情報取得モードにおける時刻修正情報は、例えば、ＧＰＳ時刻情報そのものであってもよいし、ＧＰＳ時刻情報と内部時刻情報との時間差の情報であってもよい。
【００７６】
一方、位置情報取得モードの場合、より具体的には、ベースバンド部６０は、ＧＰＳ時刻情報や軌道情報に基づいて測位計算を行い、位置情報（より具体的には、受信時に電子時計１００が位置する場所の緯度及び経度）を取得する。さらに、ベースバンド部６０は、フラッシュメモリ６６に記憶されている時差情報を参照し、位置情報により特定される電子時計１００の座標値（例えば、緯度及び経度）に関連づけられた時差データを取得する。このようにして、ベースバンド部６０は、時刻修正情報として衛星時刻データ（ＧＰＳ時刻情報）及び時差データを生成する。位置情報取得モードにおける時刻修正情報は、上記の通り、ＧＰＳ時刻情報と時差データそのものであってもよいが、例えば、ＧＰＳ時刻情報の代わりに内部時刻情報とＧＰＳ時刻情報の時間差のデータであってもよい。
なお、ベースバンド部６０は、１つのＧＰＳ衛星２０の衛星情報から時刻修正情報を生成してもよいし、複数のＧＰＳ衛星２０の衛星情報から時刻修正情報を生成してもよい。
【００７７】
また、ベースバンド部６０の動作は、温度補償回路付き水晶発振回路（ＴＣＸＯ）６５が出力する基準クロック信号に同期する。ＲＴＣ６４は、衛星信号を処理するためのタイミングを生成するものである。このＲＴＣ６４は、ＴＣＸＯ６５から出力される基準クロック信号でカウントアップされる。
【００７８】
制御表示部３６は、制御部７０、駆動回路７４及び水晶振動子７３を含んで構成されている。
制御部７０は、記憶部７１、ＲＴＣ（Real Time Clock）７２を備え、各種制御を行う。制御部７０は、例えばＣＰＵで構成することが可能である。制御部７０は、制御信号をＧＰＳ受信部２６に送り、ＧＰＳ受信部２６の受信動作を制御する。また制御部７０は、電圧検出回路３７の検出結果に基づいて、レギュレータ３４及びレギュレータ３５の動作を制御する。また制御部７０は、駆動回路７４を介してすべての指針１３の駆動を制御するとともに、駆動回路７４を介して指針１４２及び１４３並びに日付表示部１９の駆動を制御する。
【００７９】
記憶部７１には受信データが記憶されている。制御部７０はその受信データに基づいて内部時刻情報を修正する。内部時刻情報は、電子時計１００で計時される時刻の情報であり、常時駆動されているＲＴＣ７２でカウントされており、水晶振動子７３によって生成される基準クロック信号によって更新される。したがって、ＧＰＳ受信部２６への電力供給が停止されていても、内部時刻情報を更新して指針の運針を継続することができるようになっている。
【００８０】
制御部７０は、時刻情報取得モードに設定されると、ＧＰＳ受信部２６の動作を制御し、ＧＰＳ時刻情報に基づいて内部時刻情報を修正して記憶部７１に記憶する。より具体的には、内部時刻情報は、取得したＧＰＳ時刻情報にＵＴＣオフセットを加算することで求められるＵＴＣ（協定世界時）に修正される。また、制御部７０は、位置情報取得モードに設定されると、ＧＰＳ受信部２６の動作を制御し、衛星時刻データ（ＧＰＳ時刻情報）及び時差データに基づいて、内部時刻情報を修正して記憶部７１に記憶する。
【００８１】
＜Ｃ：実施形態の利点＞
以上のように、本実施形態によれば、二次電池２７は、平面視してアンテナ体４０と重ならない位置に配置される。すなわち、本実施形態は、アンテナ体４０及び二次電池２７が平面視して重なる場合と比較して、アンテナ体４０及び二次電池２７の間の距離が長く、二次電池２７がアンテナ体４０の受信性能に対して及ぼす影響を小さく抑えることができるため、アンテナ体４０の受信性能を良好に保つことができる。
【００８２】
また、本実施形態では、給電ピン４４は、平面視して二次電池２７と重ならない位置に配置される。すなわち、本実施形態は、給電ピン４４及び二次電池２７が平面視して重なる場合と比較して、給電ピン４４及び二次電池２７の間の距離が長く、二次電池２７が給電ピン４４を介してアンテナ体４０に対して及ぼす影響を小さく抑えることができるため、アンテナ体４０の受信性能を良好に保つことができる。
【００８３】
さらに、本実施形態では、給電ピン４４は、線分Ｌｂｘと線分Ｌｐｘとのなす角度θが９０度以上で且つ１８０度以下となるような位置に配置される。すなわち、本実施形態は、角度θが９０度未満となる場合と比較して、給電ピン４４及び二次電池２７の間の距離が長く、二次電池２７が給電ピン４４を介してアンテナ体４０に対して及ぼす影響を小さく抑えることができるため、アンテナ体４０の受信性能を良好に保つことができる。
【００８４】
また、本実施形態では、アンテナ体４０は、平面視して耐磁板Ｓ１〜Ｓ３と重ならない位置に配置され、給電ピン４４は、平面視して耐磁板Ｓ１〜Ｓ３と重ならない位置に配置される。すなわち、本実施形態は、給電ピン４４またはアンテナ体４０が、平面視して耐磁板Ｓ１〜Ｓ３と重なる位置に設けられる場合と比較して、給電ピン４４及びアンテナ体４０と、耐磁板Ｓ１〜Ｓ３との間の距離が長く、耐磁板Ｓ１〜Ｓ３がアンテナ体４０に対して及ぼす影響を小さく抑えることができるため、アンテナ体４０の受信性能を良好に保つことができる。
【００８５】
また、本実施形態では、給電ピン４４は、第１条件〜第３条件を満たすような位置に配置される。すなわち、本実施形態は、第１条件〜第３条件が満たされない場合と比較して、給電ピン４４及びアンテナ体４０と、耐磁板Ｓ１〜Ｓ３との間の距離が長く、耐磁板Ｓ１〜Ｓ３がアンテナ体４０に対して及ぼす影響を小さく抑えることができるため、アンテナ体４０の受信性能を良好に保つことができる。
【００８６】
＜変形例＞
本発明は、上述した実施形態に限定されるものではなく、例えば次に述べるような各種の変形が可能である。また、次に述べる変形の態様は、任意に選択された一または複数を、適宜に組み合わせることもできる。
【００８７】
＜変形例１＞
上述した実施形態において、給電ピン４４は、線分Ｌｂｘと線分Ｌｐｘとのなす角度θが９０度以上で且つ１８０度以下となるような位置に配置されるが、平面視したときの給電ピン４４と電池収納部２８に収納された二次電池２７との距離ΔＢが、給電ピン４４の長さΔＰよりも長くなるような位置に配置されるものであってもよい。
また、例えば、図１１に示すように、平面視したときに、給電ピン４４及び指針軸１２を結ぶ線分Ｌｐｘの長さが、電池収納部２８に収納された二次電池２７の中心Ｂと給電ピン４４とを結ぶ線分Ｌｐｂの長さ以下となるような位置に、給電ピン４４が配置されるものであってもよい。
図１１に示す例の場合、線分Ｌｐｂ及び線分Ｌｐｘの長さが等しくなるのは、給電ピン４４を、指針軸１２を中心として２時半の方向または９時半の方向に配置した場合である。よって、給電ピン４４は、指針軸１２を中心として２時半から９時半の範囲に設けられれば良い。但し、給電ピン４４は、平面視して巻真１６ａ、ボタン軸１７ａ及び１８ａと重なる位置には設けられない。そのため、給電ピン４４は、指針軸１２を中心として２時半から５時の範囲を除外した５時から９時半の範囲に設けられれば良い。
なお、本変形例においても、上述した給電ピン４４と耐磁板Ｓ１〜Ｓ３との位置関係についても別途考慮して、給電ピン４４の配置位置を定める必要がある。
【００８８】
＜変形例２＞
上述した実施形態及び変形例において、二次電池２７は円柱形状を有するものであるが、円柱形状以外の形状であってもよい。例えば、四角柱等の角柱形状を有するものであってもよい。
また、二次電池２７の中心Ｂは、平面視したときの二次電池２７の幾何学的な重心を表す位置であってもよい。
【００８９】
＜変形例３＞
上述した実施形態及び変形例において、給電ピン４４は、平面視して耐磁板Ｓ１〜Ｓ３と重ならい位置で、且つ、第１条件〜第３条件を充足する位置に配置されるが、第１条件〜第３条件をいずれも考慮せずに、平面視して耐磁板Ｓ１〜Ｓ３と重ならいという条件のみを考慮して配置されるものであってもよい。また、給電ピン４４は、平面視して耐磁板Ｓ１〜Ｓ３と重ならい位置で、且つ、第１条件〜第３条件のうちの少なくとも１つの条件を充足する位置に配置されるものであってもよい。
【００９０】
＜変形例４＞
上述した実施形態及び変形例において、電子時計１００は、３つの耐磁板Ｓ１〜Ｓ３を備えるが、３つの耐磁板Ｓ１〜Ｓ３のうち少なくとも１つを備えるものであればよい。
【００９１】
＜変形例５＞
上述した実施形態及び変形例において、アンテナ体４０は、図５（Ｃ）に示すように、上面Ｔ１、外周面Ｔ２、底面Ｔ３、傾斜面ＴＰ１、及び、傾斜面ＴＰ２により囲まれた、５角形の断面形状を有する誘電体４０１を基材として形成されるが、アンテナ体の基材となる誘電体は、５角形以外の断面形状を有するものであってもよい。例えば、電子時計１００は、図１２に示すように、４角形の断面形状を有する誘電体４０１ａを基材とするアンテナ体４０ａを備えるものであってもよい。このアンテナ体４０ａは、誘電体４０１ａの上面にアンテナパターン４０２ａ及び４０３ａが形成され、誘電体４０１ａの内周面に給電部４０４ａが形成されている。アンテナパターン４０３ａは、給電部４０４ａを介して、給電ピン４４に電気的に接続されている。そのため、アンテナパターン４０３ａには、給電ピン４４を介して、所定の電位が供給されている。
また、上述した実施形態及び変形例において、アンテナパターン４０２（または４０２ａ）は、切欠部４０５（または切欠部４０５ａ）を有し、環状の一部を切り欠いた形状に形成されているが、切欠部４０５（または切欠部４０５ａ）を有さず、環状の形状に形成されるものであってもよい。
【００９２】
＜変形例６＞
上述した実施形態及び変形例において、電子時計１００は、操作ボタン１７及び１８並びにボタン軸１７ａ及び１８ａを備えるが、操作ボタン１７及び１８並びにボタン軸１７ａ及び１８ａを備えずに構成されるものであってもよい。
この場合、給電ピン４４は、平面視したときに、電池収納部２８に収納された二次電池２７、巻真１６ａ、及び、耐磁板Ｓ１〜Ｓ３と重ならない位置に設けられるものであればよい。
【００９３】
＜変形例７＞
上述した実施形態及び変形例において、アンテナ体４０（またはアンテナ体４０ａ）は、無給電のアンテナパターン４０２（または４０２ａ）と、所定の電位の給電を受けるアンテナパターン４０３（または４０３ａ）とを具備するが、本発明はこのような形態に限定されるものではなく、無給電のアンテナパターン４０２（または４０２ａ）を備えず、所定の電位の給電を受けるアンテナパターン４０３（または４０３ａ）のみを具備するものであってもよい。
例えば、電子時計１００は、図１３（Ａ）及び（Ｂ）に示すように、誘電体４０１の傾斜面ＴＰ１上に、給電部４０４ｂを介して給電ピン４４から所定の電位の給電を受けるアンテナパターン４０３ｂが形成されたアンテナ体４０ｂを備えるものであってもよい。このアンテナ体４０ｂは、アンテナパターン４０３ｂが衛星信号に共振するようなアンテナ長に設定されており、無給電のアンテナパターンを備えない。なお、この図では、アンテナパターン４０３ｂは切欠部４０５ｂを有したＣ型の形状となるように形成されているが、切欠部４０５ｂを有さずに環状の形状（Ｏ型の形状）に形成されるものであってもよい。
例えば、電子時計１００は、図１４に示すように、４角形の断面形状を有する誘電体４０１ａの上面に、給電部４０４ｃを介して給電ピン４４から所定の電位の給電を受けるアンテナパターン４０３ｃが形成されたアンテナ体４０ｃを備えるものであってもよい。このアンテナ体４０ｃは、アンテナパターン４０３ｃが衛星信号に共振するようなアンテナ長に設定されており、無給電のアンテナパターンを備えない。
また、上述した実施形態及び変形例において、アンテナ体４０（または、４０ａ、４０ｂ、４０ｃ）は、１か所の給電部４０４（または、４０４ａ、４０４ｂ、４０４ｃ）から給電されるが、２か所の給電部から平衡給電されるものであってもよい。
例えば、電子時計１００は、図１５に示すように、誘電体４０１ｂの上面に形成されたアンテナパターン４０３ｄと、アンテナパターン４０３ｄに電気的に接続される２つの給電部４０４ｄ及び４０５ｄとを具備するアンテナ体４０ｄを備えるものであってもよい。アンテナ体４０ｄは、２つの給電部４０４ｄ及び４０５ｄに電気的に接続される２つの給電ピン４４ａ及び４４ｂを介して平衡給電される。この場合、電子時計１００は、平衡−不平衡変換素子であるバランを備えることが好ましい。バランは、給電ピン４４ａ及び４４ｂを介してアンテナ体４０ｂから出力される平衡信号を、不平衡信号に変換したうえで、ＧＰＳ受信部２６に出力する。
【００９４】
＜変形例８＞
上述した実施形態及び変形例において、電子時計１００は、グランド板９０を備えるが、グランド板９０を備えないものであってもよい。この場合には、裏蓋８５及びケース８１が、グランド板として機能する。従って、アンテナ体４０とグランド板（裏蓋８５、及び、ケース８１）との間の電位差を一定に保ち、且つ、アンテナ体４０とグランド板との間の共振周波数を一定に保つことで、アンテナ体４０の安定した受信性能を確保することができる。
【００９５】
＜変形例９＞
上述した実施形態及び変形例において、電子時計１００の操作部は、竜頭１６、巻真１６ａ、操作ボタン１７及び１８、並びに、ボタン軸１７ａ及び１８ａを備えるが、操作部は、これらのうちの一部のみを備えるものであってもよいし、これら以外の要素を含んで構成されるものであってもよい。
例えば、電子時計１００は、図１６に示すように、１０時の方向に設けられた操作ボタン１７１を有するものであってもよい。この場合、電池収納部２８及び給電ピン４４は、平面視して操作ボタン１７１のボタン軸（図示省略）と重ならない位置に設けられればよい。
【００９６】
＜変形例１０＞
上述した実施形態及び変形例において、時刻表示部は、文字板１１、指針軸１２、指針１３、小時計１４、インジケータ１５、及び、日付表示部１９を備えるが、本発明はこのような態様に限定されるものではなく、時刻表示部は、少なくとも、文字板１１、指針軸１２、指針１３を備えるものであればよい。
時刻表示部が、小時計１４、インジケータ１５、及び、日付表示部１９を備えない場合、駆動機構３０は、複数のステップモーターＭ１〜Ｍ５のうち、指針軸１２を駆動するステップモーターＭ１及びＭ２を備えるものであればよく、軸１４１、軸１５１、及び、日付表示部１９を駆動するためのステップモーターＭ３〜Ｍ５を備える必要はない。また、この場合、耐磁板Ｓ１〜Ｓ３は、ステップモーターＭ１及びＭ２のみを覆う範囲に設けられればよい。
【００９７】
＜変形例１１＞
上述した実施形態及び変形例において、給電ピン４４は、基板２５よりも上側に設けられるが、本発明はこのような形態に限定されるものではなく、給電ピン４４は、その一部が基板２５よりも下側に位置するように設けられるものであっても構わない。
【００９８】
＜変形例１２＞
上述した実施形態及び変形例において、時刻表示部は、文字板１１、指針軸１２、及び、指針１３（または、これらに加えて、小時計１４、インジケータ１５、及び、日付表示部１９）を備えるが、時刻表示部は、更に、液晶パネルを備えるものであってもよい。
【符号の説明】
【００９９】
１００……アンテナ内蔵式電子時計、１１……文字板、１２……指針軸、１３（１３ａ，１３ｂ，１３ｃ）……指針、１６……竜頭、１６ａ……巻真、２６……ＧＰＳ受信部、２７……二次電池、２８……電池収納部、３０……駆動機構、３８……地板、４０……アンテナ体、４４……給電ピン、７０……制御部、８０……外装ケース、８１……ケース、８２……ガラス縁、８３……ダイヤルリング、８４……カバーガラス、８５……裏蓋、８７……ソーラーパネル、９０……グランド板、Ｓ１〜Ｓ３……耐磁板。
【図１】
2014062847.tif 000003
【図２】
2014062847.tif 000004
【図３】
2014062847.tif 000005
【図４】
2014062847.tif 000006
【図５】
2014062847.tif 000007
【図６】
2014062847.tif 000008
【図７】
2014062847.tif 000009
【図８】
2014062847.tif 000010
【図９】
2014062847.tif 000011
【図１０】
2014062847.tif 000012
【図１１】
2014062847.tif 000013
【図１２】
2014062847.tif 000014
【図１３】
2014062847.tif 000015
【図１４】
2014062847.tif 000016
【図１５】
2014062847.tif 000017
【図１６】
2014062847.tif 000018